(57)【要約】【課題】ネジ止め用リングによらない脚体へのブラケット取付構造を提供すること。【解決手段】机等の天板を支持する天板支持ブラケットを脚に取付けて固定する構造において、脚筒体に挿入される固定部と、該固定部に形成されたガイドに対しスライド自在に嵌合する可動部を有してなる脚取付部を備え、前記可動部を前記ガイドに対してスライド手段により移動させることで、前記脚取付部を脚筒体内面に押圧して、脚に取付けること。【選択図】図１
2010164100.tif 000002
【特許請求の範囲】
【請求項１】
机等の天板を支持する天板支持ブラケットを脚に取付けて固定する構造において、前記天板支持ブラケットは、脚筒体に挿入される固定部と、該固定部に形成されたガイドに対しスライド自在に嵌合する可動部とを有する脚取付部を備え、前記可動部を前記ガイドに対してスライド手段により移動させることで、前記脚取付部を脚筒体内面に押圧して、天板支持ブラケットを脚に取付けるようにしたことを特徴とする天板支持ブラケットの取付構造。
【請求項２】
前記脚取付部は、固定部の上部において脚筒体内面と当接する受け縁を形成した請求項１の取付構造。
【請求項３】
前記固定部には、対応する箇所に脚筒体位置決め用ネジ穴を当該脚筒体を通して設け、当該ネジ穴に脚筒体に設けた位置決め用ネジを螺入することによって前記固定部および脚筒体を位置決め固定するようにした請求項１または２の取付構造。
【請求項４】
机等の天板を支持する天板支持ブラケットを脚に取付けて固定する構造において、脚筒体に挿入される固定部と、該固定部に形成されたガイドに対しスライド自在に嵌合する可動部を有してなる脚取付部を備え、前記可動部を前記ガイドに対してスライド手段により移動させることで、前記脚取付部を脚筒体内面に押圧して、脚に取付けることを特徴とする天板支持ブラケット。
【請求項５】
机等の天板を支持する天板支持ブラケットを脚に取付けて固定する構造において、天板支持ブラケットの一部として脚筒体に挿入される固定部に形成されたガイドに対しスライド自在に嵌合し、スライド手段によって移動させることで、前記固定部とともに脚筒体内面に押圧して、天板支持ブラケットを脚に取付けることを特徴とする天板支持ブラケットの可動部材。
【発明の詳細な説明】
【技術分野】
【０００１】
本発明は、机の脚に天板支持用のブラケットを取付ける構造に関し、より具体的には、脚筒体の内部に溶接したネジ止め用リング等によることなく、当該脚筒体に天板支持用ブラケットを固定するための取付構造に関する。
【背景技術】
【０００２】
従来より、柱状の脚により天板を支持するタイプの机においては、天板や脚を軽量化するとともに、それらの結合の強度を補うために天板下部へ取付けられたフレーム部材や、該フレームと脚とを剛体化するためにフレーム・コーナー部へ配設された天板支持用ブラケットなどの金属性部材が備えられる。
【０００３】
特に、デザイン又は設計上の理由から、脚をたとえば矩形天板の四隅端縁ないしその外側に配置する必要があるときには、強度（とりわけ横方向から作用する力に対しての安定性）を維持するために天板下部フレーム、ブラケットおよび脚が強く一体化していることが求められる。
【０００４】
このため、一般には、脚筒体内部に溶接等されたネジ止め用リングにより当該脚筒体上面において天板支持用ブラケットを螺合し、これによって結合の強度を確保するという手法が採用される（たとえば特許文献１，２を参照）。
【０００５】
しかしながら、かかる手法によっては、支持ブラケットを螺合するネジ止め用リングの脚筒体内部への溶接に際して加えられる熱が、脚体表面へ歪みを及ぼして少なからず美観を害してしまい、当初のデザイン通りに仕上がらない不具合があった。
【０００６】
また、脚筒体内部に溶接されたネジ止め用リングを実際に天板支持用ブラケットの螺合部と対応させて安定的に使用するには、その位置決めに相当程度の高い精密性が要求されることになり、この条件が満たされない限りは天板、ブラケットおよび脚の一体性を得ることができず、使用時にガタつきがあるなどの問題を避けることができない。
【０００７】
さらに、ネジ止め用リングを内部に溶接できないような細い筒状脚を採用したいときには、そもそも上記手法を採用することができず、天板下部に取付けたフレーム体と脚体とを強固に結合して剛体化することは著しく困難であった。
【特許文献１】特許第3685048号
【特許文献２】特許第3610035号
【発明の開示】
【発明が解決しようとする課題】
【０００８】
そこで本発明は、従来のネジ止め用リングによることなく、脚体へ天板支持ブラケットを取付ける全く新たな構造を提供することを課題とするものである。
【課題を解決するための手段】
【０００９】
上記課題の解決を目的としてなされた本発明天板支持ブラケットの取付構造の構成は、机等の天板を支持する天板支持ブラケットを脚に取付けて固定する構造において、前記天板支持ブラケットは、脚筒体に挿入される固定部と、該固定部に形成されたガイドに対しスライド自在に嵌合する可動部とを有する脚取付部を備え、前記可動部を前記ガイドに対してスライド手段により移動させることで、前記脚取付部を脚筒体内面に押圧して、天板支持ブラケットを脚に取付けることを特徴とするものである。
【００１０】
本発明取付構造における前記脚取付部は、固定部の上部において脚筒体内面と当接する受け縁を形成してなるものとすることが可能である。
【００１１】
また、上記課題を解決することができる本発明天板支持ブラケットの構成は、机等の天板を支持する天板支持ブラケットを脚に取付けて固定する構造において、脚取付部を、脚筒体に挿入される固定部と、該固定部に形成されたガイドに対しスライド自在に嵌合する可動部を備えて形成し、前記可動部を前記ガイドに対してスライド手段により移動させることで、前記脚取付部を脚筒体内面に押圧して、脚に取付けるようにしたことを特徴とするものである。
【００１２】
さらに、上記課題を解決することができる本発明天板支持ブラケットにおける可動部材の構成は、机等の天板を支持する天板支持ブラケットを脚に取付けて固定する構造において、天板支持ブラケットの一部として脚筒体に挿入される固定部に形成されたガイドに対し可動部を前記脚筒体内でスライド自在に嵌合し、スライド手段によって移動させることで、前記固定部とともに脚筒体内面に押圧して、天板支持ブラケットを脚に取付けることを特徴とするものである。
【発明の効果】
【００１３】
本発明の取付構造によれば、可動部を固定部に形成したガイドに対しスライドするだけで、天板支持ブラケットの脚取付部を脚筒体内面に押圧・固定できるので、従来のようなネジ止め用リングを脚筒体内面に溶接する必要がなく、脚筒体の表面に歪みを生じて製品の美観を損なうということがない。
【００１４】
また、本発明の取付構造は、ネジなどの螺合手段により取付け固定するものではなく、可動部材の圧接によりブラケットを脚体に対して固定する構造であるから、ネジ止め用リングのように位置決めに高い精度を要することもない。
【００１５】
しかも、ネジ止め用リングを溶接できないような細い脚筒体に対しても、脚取付部を挿入できるものであれば、簡易かつ確実に天板支持ブラケットを脚に取付けることができる。
【００１６】
本発明では、天板支持ブラケットに形成した脚取付部を、脚筒体に挿入される固定部と、該固定部に形成されたガイドに対しスライド自在に嵌合する可動部を備えて形成したことにより、前記可動部を前記ガイドに対してスライド手段により移動させることで、前記脚取付部を脚筒体内面に押圧して強固に脚に取付けることができる。
【００１７】
また、上記の本発明ブラケットの脚取付部において、可動部を、脚筒体に挿入される固定部に形成されたガイドに対し可動部を前記脚筒体内でスライド自在に嵌合し、スライド手段によって移動させるように設けたので、この可動部がガイドに対してスライド手段により移動するようにしたので、前記固定部と可動部とが脚筒体内面に開拡する態様で強固に押しつけられることとなり、天板支持ブラケットと脚を強固に結合一体化することができる。
【発明を実施するための最良の形態】
【００１８】
以下、本発明天板支持ブラケット取付構造の実施の形態例について、図により説明する。
【００１９】
図１は本発明取付構造の一例を分解して示した正面図、図２は図１の本発明取付構造を組立てた状態の正面図、図３は図２の本発明取付構造において脚筒体のみを断面にして表した右側面図、図４は図２の本発明取付構造を下面側から見た底面図、図５は本発明天板支持ブラケットおよび可動部の一例を示した斜視図、図６は図５の本発明天板支持ブラケットにおける固定部と可動部が一体となって脚取付部を構成した一例を示した斜視図、図７は図５，図６の本発明天板支持ブラケットを脚筒体に取付けた状態の一例を示した斜視図である。
【００２０】
図１〜図４において、Ｂは、天板裏面にネジ止め定着される平板状の天板取付部Ｅを具備した天板支持ブラケットであって、該ブラケットＢは、前記取付部Ｅの下面に一体成形された短梁部Ｍと、その先端側において下向きに設けられた固定部Ｆ、および該固定部Ｆと組合せて協働する可動部Ｌを備えている。なお、Ｔは固定部Ｆと可動部Ｌが収装される脚筒体である。
【００２１】
天板支持ブラケットＢは、固定部Ｆと可動部Ｌを脚筒体Ｔに挿入した状態でネジ杆Ｓにより結合するため、該ネジ杆Ｓの挿通孔Ｈが、短梁部Ｍの上面から固定部Ｆまで貫通して形成されているとともに、可動部Ｌにはネジ杆Ｓの雄ネジ部ｍを螺入する雌ネジ部Scが形成されている。
【００２２】
これにより、前記短梁部Ｍと一体の固定部Ｆと可動部Ｌが天板支持ブラケットＢにおける脚取付部Ａとして機能する。
【００２３】
すなわち、脚取付部Ａは、脚筒体Ｔに対して前記固定部Ｆと可動部Ｌを、当該可動部Ｌの雌ネジScにネジ杆Ｓの雄ネジ部ｍを浅く螺入し、そのネジ杆Ｓで緩く連結した状態で脚筒体Ｔに挿入し、当該ネジ杆Ｓを締結することにより、この脚筒体Ｔの内部に取付・固定されることとなる。
【００２４】
前記固定部Ｆは、上述のとおり、スライド手段の一例である前記ネジ杆Ｓが可動部Ｌに設けた雌ネジ部Scに螺入されることにより可動部Ｌと結合されるが、固定部Ｆには、当該可能部Ｌが前記ネジ杆Ｓの正逆回転によって上下にスライドできるよう、ガイドＧが設けられている。
【００２５】
固定部Ｆに備わるガイドＧは、図１および図４に示す通り、平断面略山形をなすテーパー状のガイド面Gsに形成されているとともに、可動部Ｌもこのガイド面Gsに対応するよう平断面略凹状をなす逆テーパー状のスライド面Lsを形成されている。
【００２６】
また、前記固定部Ｆと可動部Ｌは、上記テーパー状のガイド面Gsと逆テーパー状のスライド面Lsのほか、次の構成を備えている。
【００２７】
すなわち、固定部Ｆにおけるガイド面Gsの反対側（短梁部Ｍの側）は、脚筒体Ｔの内壁面に当接する当接面Fcに形成されているが、当該当接面Fcの略中央には、固定部Ｆの端面から突出した凸状当接面Fnが形成されている。
【００２８】
一方、可動部Ｌにおける前記凸状当接面Fnに対応する部位には、当該凸状当接面Fnを受け入れる受入れ凹部Rfが形成されているとともに、スライド面Lsの背後の外周面は、脚筒体Ｔの内周面への当接面Lcに形成されている。
【００２９】
固定部Ｆと可動部Ｌの上記の構成により、ネジ杆Ｓの回転によって可動部Ｌを固定部Ｆに対して上方または下方にスライドさせたとき、脚取付部Ａは、固定部Ｆと可動部Ｌのそれぞれが脚筒体Ｔの内壁面に当接する当接面FcとLc、および、凸状当接面Fnがそれら全体で形成する外径ないし幅を大きくし、または小さくすることができる。
【００３０】
すなわち、ネジ杆Ｓの回転により、可動部Ｌを固定部Ｆに対しスライドさせることで、脚取付部Ａを脚筒体Ｔの内面に圧接することが可能となる。
【００３１】
上記固定部Ｆは、上記構成に加え、次の構成を備えている。
【００３２】
すなわち、固定部Ｆの上端部は、短梁部Ｍと一体化されている部位を除き、フランジ状部Voに形成されているとともに、該フランジ状部Voの下面側に、脚筒体Ｔの上端部内面Twと密接する受け縁Ｒに形成されている。
【００３３】
また、固定部Ｆに結合された短梁部Ｍの下面には、前記フランジ状部Voの下面と平行な内側縁Viが形成されている。
【００３４】
一方、前記固定部Ｆに外嵌される脚筒体Ｔの上端部は、当該脚筒体Ｔにおいて固定部Ｆと短梁部Ｍが結合して下方に膨出した部位（内側縁Viを有する部位）を逃げるため凹状の切欠き部Tiが形成されている（図７参照）。
【００３５】
この結果、天板支持ブラケットＢを脚筒体Tに取付けて固定すると、脚筒体Ｔの内外方向（図１、図２の左右方向）のガタつきに対しては、（イ）固定部Fの内側縁Viと脚筒体Ｔ上端の切欠き部Ti、（ロ）固定部Ｆの当接面Fcおよび可動部Ｌの当接面Lcと脚筒体Ｔの内面、（ハ）固定部Ｆのフランジ状部Voの下面Veおよび受け縁Ｒと脚筒体Ｔの上端部における上端面Tuおよび内面Twが相互に作用して、これを確実かつ効果的に抑制することができる。
【００３６】
また、脚筒体Ｔの左右方向（図１、図２の紙面に対し垂直方向）のガタつきに対しては、（ニ）固定部Ｆにおけるフランジ部Voの下面Veおよび受け縁Rの外周面の左右側（図１、図２では紙面の手前側と向こう側）と脚筒体Ｔの上端部における上端面Tuおよび内面Twの左右側、（ホ）脚筒体Ｔの切欠き部Tiの切欠き側面と短梁部Ｍにおける内側縁Viを抱持する垂直面Vwが相互に作用し、上記と同様にガタつきを抑制することができる。
【００３７】
上記（イ）〜（ホ）の構成により、脚筒体Ｔのその取付部Aに対する内外方向ないし左右方向へのガタつきを完全に防止することができるので、脚筒体Ｔを天板支持ブラケットＢに確実に固定することが可能となる。
【００３８】
つぎに、本実施例における天板支持ブラケットＢの取付手順の一例につき説明する。
【００３９】
まず、天板支持ブラケットＢの脚取付部Ａを構成する固定部Ｆおよび可動部Ｌを、挿通孔Ｈおよびネジ穴Scに緩く螺入したネジ杆Ｓにより、予め一体に連結した状態とする（図５、図６参照）。
【００４０】
つづいて、この固定部Ｆと可動部Ｌが一体となった脚取付部Ａを、脚筒体Ｔの上部開口へ挿入する（図７参照）。この状態を、正立して表したものが図７である。
【００４１】
固定部Ｆには、図２に示すとおり、脚筒体Ｔに設けた穴Tbを通して脚筒体Ｔの位置決め用ネジ穴Fbが設けられている。
【００４２】
したがって、脚取付部Ａを挿入するとき、穴Tbとネジ穴Fbを貫通状態にしてネジ穴Fbに位置決め用ネジｂを螺入締着することにより、脚取付部Ａに脚筒体Ｔを位置決めする。
【００４３】
ここで前記ネジｂは、脚取付部Ａにおける固定部Ｆのネジ穴Fbに螺着されるので、仮に、固定部Ｆと可動部を緊締しているネジ杆Ｓが何らかの要因で緩んでも、脚筒体Ｔがその取付部Ａから脱落することはない。
【００４４】
そして、挿通孔Ｈおよびネジ穴Scに緩く螺入されている前記ネジ杆Ｓを適宜の螺入手段によってきつく締め上げ、可動部Ｌを固定部Ｆに備わるガイドＧに沿ってスライドさせると、固定部Ｆと可動部Lとの協働によって、固定部Ｆの凸状当接面を含む当接面Fcと、可動部Ｌの圧接面Lcとによって形成される外径を大きくして脚取付部Ａを脚筒体Ｔの内壁面に強固に押圧・固定することが可能となる。
【００４５】
本発明取付構造の適用は本実施例に限られるものではなく、机や椅子をはじめあらゆる家具・什器類の脚ないし支柱の取付構造として実施可能であることは言うまでもない。
【産業上の利用可能性】
【００４６】
本発明は以上のとおりであって、可動部材を固定部に形成したガイドに対してスライドするだけで、天板支持ブラケットの脚取付部を脚筒体内面に押圧・固定できるので、従来のようなネジ止め用リングを脚筒体内面に溶接する必要がなく、その結果、脚筒体の表面に歪みを生じて製品の美観を損なうということがなく、またネジなどの螺合手段により取付け固定するものでもなく、可動部材の圧接によりブラケットを脚体に対して固定する構造であるから、ネジ止め用リングのように位置決めに高い精度を要求されることもなく、しかも、ネジ止め用リングを溶接できないような細い脚筒体に対しても、脚取付部を挿入できるものであれば、簡易かつ確実に天板支持ブラケットを脚に対して取付けることができるという効果を有するから天板支持ブラケットの取付構造に適用してきわめて有用である。
【図面の簡単な説明】
【００４７】
【図１】本発明取付構造の一例を分解して示した正面図。
【図２】図１の本発明取付構造を組立てた状態の正面図。
【図３】図２の本発明取付構造において脚筒体のみを断面にして表した右側面図。
【図４】図２の本発明取付構造を下面側から見た底面図。
【図５】本発明天板支持ブラケットおよび可動部の一例を示した斜視図。
【図６】図５の本発明天板支持ブラケットにおける固定部と可動部が一体となって脚取付部を構成した一例を示した斜視図。
【図７】図５，図６の本発明天板支持ブラケットを脚筒体に取付けた状態の一例を示した斜視図。
【符号の説明】
【００４８】
Ｂ    天板支持ブラケット
Ａ    脚取付部
Ｆ    固定部
Ｌ    可動部
Ｒ    受け縁
Ｇ    ガイド
Ｍ    短梁部
Ｔ    脚筒体
【図１】
2010164100.tif 000003
【図２】
2010164100.tif 000004
【図３】
2010164100.tif 000005
【図４】
2010164100.tif 000006
【図５】
2010164100.tif 000007
【図６】
2010164100.tif 000008
【図７】
2010164100.tif 000009